(57)【要約】      （修正有）【課題】高電流の負荷に耐えられ、且つより多くのスペースを使用できるよう小型化を維持できる継電器の導電構造を提供する。【解決手段】台座２、スタンド３、復帰用バネ４、磁極５、コイル６で構成される。復帰用バネの末端に導電バネ７を設置し、導電バネは間接的に磁力の作用で変位を行って少なくとも二つの導通端子２１，２２と電気接触する。導電バネが導通端子と接触する面積が増える設計により、継電器が導電する電流量を多くできる。【選択図】図１
0003192697.tif 000002
【実用新案登録請求の範囲】
【請求項１】
台座、スタンド、復帰用バネ、磁極、コイルを含み、
該スタンドは台座に挿入して固定し、復帰用バネの一端をスタンドに設置し、磁極は復帰用バネの別端に設置し、コイルはスタンドに設置し、該コイルの一端は磁極と同じ方向にあり、
該台座に少なくとも二つの導通端子を設置し、
及び該継電器の復帰用バネに少なくとも一つの導電バネを設置し、且つ該導電バネの末端は該少なくとも二つの導通端子に対応して設置し、
このように、該継電器の復帰用バネは該導電バネを通じて導電面積が増えるために、該継電器が導電バネと導通端子と電気接触する導電率を上げ、継電器が高電流電子回路の環境でも使用できることを特徴とする継電器の導電構造。
【請求項２】
前記復帰用バネの末端は該少なくとも二つの導通端子に対応してフォーク状構造に設置し、且つ該導電バネの末端は前記復帰用バネの末端に対応してフォーク状構造に設置することを特徴とする請求項１記載の継電器の導電構造。
【請求項３】
前記復帰用バネの末端は該少なくとも二つの導通端子に対応してフォーク状構造に設置し、該導電バネはＨ字型部品であり、該導電バネは二本の横向き部分と一本の縦向き部分を含み、該一つの横向き部分は復帰用バネの中段部分を跨ぐ位置にあり、別の一つの横向き部分は、復帰用バネの二つのフォーク部末端の間を跨ぎ、縦向き部分は該二本の横向き部分の中間位置を連結し、且つ復帰用バネの二つのフォーク部の間の隙間を跨ぐことを特徴とする請求項１記載の継電器の導電構造。
【請求項４】
前記復帰用バネの末端は該少なくとも二つの導通端子に対応してフォーク状構造に設置し、該導電バネはＴ字型部品であり、該導電バネに含まれるのは一本の横向き部分及び一本の縦向き部分であり、横向き部分は復帰用バネの二つのフォーク部の間を跨ぎ、縦向き部分の一端は横向き部分の中間位置と連結し、且つ復帰用バネの二つのフォーク部の間の隙間を跨ぎ、且つ縦向き部分の別端は復帰用バネの中段位置に固定することを特徴とする請求項１記載の継電器の導電構造。
【請求項５】
前記復帰用バネの末端は該少なくとも二つの導通端子に対応してフォーク状構造に設置し、該導電バネはＩ字型部品であり、導電バネは単一の横向き部分のみであり、復帰用バネの二つのフォーク状構造の間を跨ぐことを特徴とする請求項１記載の継電器の導電構造。
【考案の詳細な説明】
【技術分野】
【０００１】
本考案一種の導電構造に関し、特に継電器の導電構造を指し、該構造設計を介して継電器がより高電流電子回路に応用できて実用性のある継電器になる構造に関する。
【背景技術】
【０００２】
継電器(Ｒｅｌａｙ)は一種の電子制御部品であり、電子回路の自動制御に応用されている。例えば通信交換機、工業制御、車両或いはクーラーなど全てに応用されており、実際には比較的小さい電流で比較的大きい電流を制御する電子式自動スイッチである。継電器が電子回路では自動調節、安全プロテクト、回路転換などの役割を担っている。
【０００３】
継電器は大きい電流を使う電子回路に応用し、主に当該電気接続する接点スイッチの復帰用バネ(return spring)に左右される。且つ継電器の導電率は導電面積及び比例パラメーターと関係がある。今まで継電器が大きい電流量での応用を増やすために、復帰用バネの材料を変更しない状況では、通常中弾片(復帰用バネ)全体の厚みを厚くする設計にするが、復帰用バネ全体の厚みを増やすと、元のコイルが生じる作用力では、確実に復帰用バネの変位を磁力で吸い付けることができず、コイルの巻き数を増やす必要がある。よって、継電器を小型化するデザインでは、継電器の内部で使用できるスペースがかなり減るほか、更に復帰用バネの変位回復する力を増やす必要がある。
【０００４】
以上を鑑みて、継電器の導電率を増やすという理念に基づき、該類の継電器が高電流の負荷に耐えられ、且つより多くのスペースを使用できるよう継電器の小型化を維持できる継電器の導電構造を案出した。
【先行技術文献】
【特許文献】
【０００５】
【特許文献１】特開２０１２−１４９０７号公報
【考案の概要】
【考案が解決しようとする課題】
【０００６】
前記公知構造の欠点を解決するため、本考案は主に導電面積を増やす構造設計を通じて、より継電器を高電流状態の電子回路に応用できるようにする継電器の導電構造を提供することを主な課題とする。
【課題を解決するための手段】
【０００７】
上述の目的を解決するために、本考案は継電器の導電構造を提供するものである。それに含まれるのは一つの台座、台座に挿入して固定する一つのスタンド、一端をスタンドに設置する復帰用バネ、復帰用バネの別端に設置する磁極、スタンドに設置するコイル、且つ該コイルの一端は磁極と同じ方向にある。その中で該台座に少なくとも二つの導通端子を設置し、及び該継電器の復帰用バネに少なくとも一つの導電バネを設置する。また、該導電バネの末端に対応して少なくとも二つの導通端子を設置する。このように、該継電器の復帰用バネは該導電バネを通じて導電面積が増えるために、該継電器が導電バネと導通端子と電気接触する導電率を上げ、継電器が高電流電子回路の環境でも使用できるようになった。
【０００８】
本考案の「継電器の導電構造」は更に下記の技術特徴を含む。１、該復帰用バネの末端は前記該少なくとも二つの導通端子に対応してフォーク状構造に設置する。且つ該導電バネの末端は前記復帰用バネの末端に対応してフォーク状構造に設置する。２、該復帰用バネの末端は前記該少なくとも二つの導通端子に対応してフォーク状構造に設置し、該導電バネはＨ字型部品であり、該導電バネは二本の横向き部分と一本の縦向き部分を含み、該一つの横向き部分は復帰用バネの中段部分を跨ぐ位置にあり、別の一つの横向き部分は、復帰用バネの二つのフォーク部末端の間を跨ぎ、縦向き部分は該二本の横向き部分の中間位置を連結し、且つ復帰用バネの二つのフォーク部の間の隙間を跨ぐ。３、該復帰用バネの末端は該少なくとも二つの導通端子に対応してフォーク状構造に設置し、該導電バネはＴ字型部品であり、該導電バネに含まれるのは一本の横向き部分及び一本の縦向き部分であり、横向き部分は復帰用バネの二つのフォーク部の間を跨ぎ、縦向き部分の一端は横向き部分の中間位置と連結し、且つ復帰用バネの二つのフォーク部の間の隙間を跨ぎ、且つ縦向き部分の別端は復帰用バネの中段位置に固定する。４、該復帰用バネの末端は該少なくとも二つの導通端子に対応してフォーク状構造に設置し、該導電バネはＩ字型部品であり、導電バネは単一の横向き部分のみであり、復帰用バネの二つのフォーク状構造の間を跨ぐ。
【考案の効果】
【０００９】
本考案は台座、スタンド、復帰用バネ、磁極、コイルを設置し、該復帰用バネの末端に導電バネを設置し、且つ該導電バネは間接的に磁力の作用で変位を行って導通端子と電気接触し、更に導電バネにより復帰用バネが導通端子と接触する面積が増える設計により、継電器が導電する電流量を多くし、継電器が高電流電子回路での応用が増える。
【図面の簡単な説明】
【００１０】
【図１】本考案の外蓋と台座の分解状態を示す立体略図である。
【図２】本考案の導電バネと復帰用バネの分解状態を示す立体略図である。
【図３】本考案の導電バネを復帰用バネと結合した立体略図である。
【図４】本考案の導電バネと導通端子が接触して電気導通した状態を示す略図である。
【図５】本考案の第二実施例の一部分解状態を示す立体略図である。
【図６】本考案の第三実施例の一部分解状態を示す立体略図である。
【図７】本考案の第四実施例の一部分解状態を示す立体略図である。
【考案を実施するための形態】
【００１１】
以下、本考案の構造と特徴および効果を、最良実施例と図面を参照しながら詳細に説明する。
【実施例１】
【００１２】
図１から図３は本考案実施例の各部品の組立構造を説明するものである。図に示すように、本考案の継電器に含まれるのは一つの外蓋１、一つの外蓋１を閉じる台座２、台座２に挿入して固定する一つのスタンド３、一端をスタンド３に設置する復帰用バネ４、復帰用バネ４の別端に設置する磁極５、スタンド３に設置するコイル６、且つ該コイル６の一端は磁極５と同じ方向にあり、及び復帰用バネ４と組み合わせる導電バネ７を含む。該台座２に少なくとも二つの外部の電子回路と導電する導通端子２１、２２(ここでは二つの導通端子２１、２２を例として挙げる)を設置する。図２に示すように、該復帰用バネ４の末端は前記該少なくとも二つの導通端子２１、２２に対応してフォーク状構造に設置する。該導電バネ７は前記復帰用バネ４に対応して末端をフォーク状構造に設置する。該導電バネ７と復帰用バネ４の両者はまず積み重ねてからリベット或いは溶接の方法で結合し、該導電バネ７の末端は該導通端子２１、２２の上方位置に対応する。
【００１３】
図２から図４は本考案継電器の導電構造の作業方法及びそれが達成できる効果についての説明である。外部の電子回路が継電器のコイル６に電力を提供する際、該コイル６は磁力を生じ、該継電器は該磁力を通じて磁極５を吸いつけてコイル６の方向に変位する。同時に該磁極５は復帰用バネ４を駆動することで、復帰用バネ４は連帯して導電バネ７の末端を駆動して導通端子２１、２２と電気導通をするために、該継電器の電子回路の接点スイッチの作動を形成する。このように本考案は復帰用バネ４の末端に導電バネ７を設置し、且つ該導電バネ７は間接的に磁力の作用で変位を行って導通端子２１、２２と電気接触し、更に導電バネ７により復帰用バネ４が導通端子２１、２２と接触する面積が増える設計により、継電器が導電する電流量を多くし、継電器が高電流電子回路での応用が増えることが、本考案の目的と効果である。
【００１４】
更に本考案の復帰用バネ４に導電バネ７を増設する構造設計は、従来の復帰用バネ４が直接導通端子２１、２２と電気接触する方法の代わりとなり、同時に継電器の電流分流効果を上げる。また、継電器の該接点スイッチの電気導通時の作業温度を下げることで、同じ条件下にある従来技術の継電器より、更に広い作業スペース及び耐用性を具有するなどの付加価値を持つ。
【実施例２】
【００１５】
本考案の導電バネ７は更に別の実施形態があり、それが図５に示す本考案の第二実施例である。他の部品構造は全て前記実施例と同じであるため、再度述べないこととする。該導電バネ７はＨ字型部品であり、該導電バネ７は二本の横向き部分と一本の縦向き部分を含み、該一つの横向き部分は復帰用バネ４の中段部分を跨ぐ位置にあり、別の一つの横向き部分は、復帰用バネ４の二つのフォーク部末端の間を跨ぐ。縦向き部分は該二本の横向き部分の中間位置を連結し、且つ復帰用バネ４の二つのフォーク部の間の隙間を跨ぐ。
【実施例３】
【００１６】
図６及び図７はそれぞれ本考案の第三及び第四実施例である。図６に示す導電バネ７はＴ字型部品であり、該導電バネ７に含まれるのは一本の横向き部分及び一本の縦向き部分である。横向き部分は復帰用バネ４の二つのフォーク部の間を跨ぎ、縦向き部分の一端は横向き部分の中間位置と連結し、且つ復帰用バネ４の二つのフォーク部の間の隙間を跨ぎ、且つ縦向き部分の別端は復帰用バネ４の中段位置に固定する。図７に示す導電バネ７はＩ字型部品であり、導電バネ７は単一の横向き部分のみであり、復帰用バネ４の二つのフォーク状構造の間を跨ぐ。
【００１７】
以上の実施例による本考案の詳細な説明は本考案の範囲を制限するものではない。本技術に熟知する者は、本考案の構想に基づく各種の変化や修正、応用及び形を変更するなど、同じ効果が生まれる場合は、全て本考案の権利範囲とする。
【符号の説明】
【００１８】
１  外蓋
２  台座
２１  導通端子
２２  導通端子
３  スタンド
４  復帰用バネ
５  磁極
６  コイル
７  導電バネ
【図１】
0003192697.tif 000003
【図２】
0003192697.tif 000004
【図３】
0003192697.tif 000005
【図４】
0003192697.tif 000006
【図５】
0003192697.tif 000007
【図６】
0003192697.tif 000008
【図７】
0003192697.tif 000009